(57)【特許請求の範囲】
【請求項１】
引戸側に配設される施錠手段と、戸枠側に設けられるアーム機構とを備え、
前記施錠手段は、引戸の戸枠と対向する端部に配設される錠箱に回動自在に取り付けられるサムターンと、
該サムターンに連動連結されるとともに、前記錠箱内に回動自在に支持され、前記錠箱及び前記端部の前端面より進退するカマとから成り、
前記サムターンと前記カマとは支持軸に設けられ、
前記サムターンは、裏面端部に前記支持軸が設けられ、該支持軸とで略Ｌ字状に形成されており、前記引戸の前端面側に前記支持軸が位置してサムターンが前記引戸の面に沿って前記支持軸に対して延出し、
前記カマが該支持軸の中途部分に、該支持軸の軸線方向に直交する方向に延出するフランジ状の円板の一部の形状とされているとともに、周縁が板面に対して直交する係合片が折曲形成され断面略Ｌ字状に形成されており、該カマの前記周縁を形成する中心軸線と前記支持軸の軸心とが偏心し、
前記アーム機構は、前記戸枠の長手方向に沿う上下方向に真直に穿設される長尺な長穴と、
該長穴に枢着されるとともに該長穴に沿って摺動自在な案内軸を一端に備え、引戸の移動方向と略直交する方向に突出する係止部が他端に突設される短冊板材よりなるアームと、
前記アームの一端と前記戸枠とにわたって連結され、前記アームを前記戸枠に近接させ、該戸枠に前記アームを沿わせ、該アームの一端を前記長穴の上端に常時上方に牽引する付勢力を有する引張コイルバネと、により構成され、
前記引戸の閉鎖状態において、前記サムターンの操作により回動する前記カマの係合片が、前記錠箱より進出し、前記アームの他端の係止部にかかり、該カマの回動にて前記係止部を前記錠箱側に引き寄せ、前記カマの係合片により前記アームの他端と係合状態とし、
該係合状態において引戸の開放動作が行われる際には、前記アーム他端が引戸に牽引され、前記アーム一端の案内軸が前記長穴に沿い、前記引張コイルバネの牽引力に抗して下方へ摺動するとともに、前記アームが戸枠側より進出し、前記案内軸が前記長穴の下端まで移動して前記引戸の開放を規制することを特徴とする引戸用ガードアーム錠。
【請求項２】
前記サムターンの操作にて前記錠箱より進出した際の前記カマの係合片と対向する位置に、前記錠箱の前端面に沿って抜止板を延出形成して具備し、前記サムターンの操作により前記カマと前記アームとが係合した状態において、前記アーム他端を前記引戸の表裏方向から挟むように、前記抜止板と前記カマとが配置され、これら抜止板とカマとで前記アーム他端を引戸表裏方向で挟むように保持し、且つ前記係合片と係止部とが係合状態とされることを特徴とする請求項１記載の引戸用ガードアーム錠。
【発明の詳細な説明】
【０００１】
【発明の属する技術分野】
本発明は、引戸に対し一定幅までの限られた間隔を開閉自在とする引戸用ガードアーム錠に関するものである。
【０００２】
【従来の技術】
一般に住宅などの建物の玄関に配設される開閉体は、一側に蝶番を介して設けられる所謂扉が設けられる。
この扉には、扉を所定幅以上開放する事を不能とする構造であるドアチェーンが設けられ、来訪者の確認など、防犯を目的として使用されている。
【０００３】
このドアチェーンは、戸枠と扉の端部とをチェーンにて連結する構造であり、このチェーンの長さまで扉の開放を可能とする。すなわち、このチェーンの長さにて扉の開放を所定幅までとし、それ以上の開放を規制するようになっている。
【０００４】
また、扉を閉鎖した状態で、連結状態の解除を可能とする構造とされ、扉の外部からは、操作不可能となっている。
【０００５】
【発明が解決しようとする課題】
しかしながら、住宅などの建物においては、出入口における閉鎖を行う開閉体が、上記のような扉で構成されるものとは限らず、引戸にて構成されるものもあり、この引戸に対しても上記のような、開放を所定の幅までに規制する構造を備えることが望まれていた。
【０００６】
そこで本発明は、上記問題点を解消するために、引戸で構成される開閉体に、所定の幅までの開放を可能とし、来訪者の確認などを行うために、その開放状態を所定幅までに規制することが可能となる引戸用ガードアーム錠を提供することを目的としている。
【０００７】
【課題を解決するための手段】
次に、上記の課題を解決するための手段を、実施の形態に対応する図面を参照して説明する。
この発明の引戸用ガードアーム錠１は、引戸２側に配設される施錠手段４と、戸枠３側に設けられるアーム機構５とを備え、
前記施錠手段４は、引戸２の戸枠３と対向する端部に配設される錠箱７に回動自在に取り付けられるサムターン１１と、
該サムターン１１に連動連結されるとともに、前記錠箱７内に回動自在に支持され、前記錠箱７及び前記端部の前端面２ａより進退するカマ１０とから成り、
前記サムターン１１と前記カマ１０とは支持軸９に設けられ、
前記サムターン１１は、裏面端部１１ａに前記支持軸９が設けられ、該支持軸９とで略Ｌ字状に形成されており、前記引戸２の前端面２ａ側に前記支持軸９が位置してサムターン１１が前記引戸２の面に沿って前記支持軸９に対して延出し、
前記カマ１０が該支持軸９の中途部分に、該支持軸９の軸線方向に直交する方向に延出するフランジ状の円板の一部の形状とされているとともに、周縁が板面に対して直交する係合片１０ａが折曲形成され断面略Ｌ字状に形成されており、該カマ１０の前記周縁を形成する中心軸線と前記支持軸９の軸心とが偏心し、
前記アーム機構５は、前記戸枠３の長手方向に沿う上下方向に真直に穿設される長尺な長穴２２と、
該長穴２２に枢着されるとともに該長穴２２に沿って摺動自在な案内軸２７を一端に備え、引戸２の移動方向と略直交する方向に突出する係止部２８が他端に突設される短冊板材よりなるアーム２６と、
前記アーム２６の一端と前記戸枠３とにわたって連結され、前記アーム２６を前記戸枠３に近接させ、該戸枠３に前記アーム２６を沿わせ、該アーム２６の一端を前記長穴２２の上端に常時上方に牽引する付勢力を有する引張コイルバネ２５と、により構成され、
前記引戸２の閉鎖状態において、前記サムターン１１の操作により回動する前記カマ１０の係合片１０ａが、前記錠箱７より進出し、前記アーム２６の他端の係止部２８にかかり、該カマ１０の回動にて前記係止部２８を前記錠箱７側に引き寄せ、前記カマ１０の係合片１０ａにより前記アーム２６の他端と係合状態とし、
該係合状態において引戸２の開放動作が行われる際には、前記アーム２６他端が引戸２に牽引され、前記アーム２６一端の案内軸２７が前記長穴２２に沿い、前記引張コイルバネ２５の牽引力に抗して下方へ摺動するとともに、前記アーム２６が戸枠３側より進出し、前記案内軸２７が前記長穴２２の下端まで移動して前記引戸２の開放を規制することを特徴とする。
【０００９】
なお、前記サムターン１１の操作にて前記錠箱７より進出した際の前記カマ１０の係合片１０ａと対向する位置に、前記錠箱７の前端面７ｄに沿って抜止板１２を延出形成して具備し、前記サムターン１１の操作により前記カマ１０と前記アーム２６とが係合した状態において、前記アーム２６他端を前記引戸２の表裏方向から挟むように、前記抜止板１２と前記カマ１０とが配置され、これら抜止板１２とカマ１０とで前記アーム２６他端を引戸表裏方向で挟むように保持し、且つ前記係合片１０ａと係止部２８とが係合状態とされることとしてもよい。
【００１０】
この引戸用ガードアーム錠１によれば、アーム２６一端の案内軸２７が戸枠３側に枢着されているため、カマ１０とアーム２６他端の係止部２８とが係合状態となる係合状態において、引戸２の開放動作を行うと、アーム２６が架け渡される幅以上の引戸２の開放を規制させることが可能となり、防犯上の問題を解決しながらも、来訪者の確認などが可能になる。
【００１１】
また、アーム２６一端に付勢手段である引張コイルバネ２５を具備することにより、アーム２６とカマ１０とが係合していない状態においては、アーム２６が引張コイルバネ２５により上方に常に牽引されて戸枠３側に収容されるように付勢され、このアーム２６が突出などを起こして邪魔になることがない。
さらに、カマ１０の周縁を形成する中心軸線と支持軸９の軸心とが偏心し、この支持軸９の軸心に対し、カマ１０の中心軸線が、支持軸９に対するサムターン１１の延出方向とは逆の方向にズレて位置して構成されていることから、引戸２が閉鎖している状態において、サムターン１１の操作にて回動するカマ１０の係合片１０ａが、錠箱７より進出し、戸枠３に収容状態のアーム２６の他端の係止部２８にかかり、このカマ１０の回動によって係止部２８を戸枠３から錠箱７側に引き寄せることとなり、カマ１０の係合片１０ａによりアーム２６の他端の係止部２８と係合状態となる。
【００１２】
また、カマ１０と対向して抜止板１２を錠箱７の前端面７ｄに具備することにより、抜止板１２は引戸２側から進出したカマ１０に向き合うように位置することから、互いに係合する係合片１０ａと係止部２８とによるカマ１０とアーム２６他端とを、引戸２の表裏方向からも挟むように保持するので、確実にカマ１０と抜止板１２とでアーム２６を保持し係合状態を維持することができ、容易に解除されないという効果が得られる。
【００１３】
【発明の実施の形態】
以下、本発明に係る引戸用ガードアーム錠１の実施の形態を図面を参照して詳細に説明する。
【００１４】
図１は本発明による引戸用ガードアーム錠１の実施の形態を示す正面図、図２は図１の施錠手段４の左側面図である。
【００１５】
まず、本発明による引戸用ガードアーム錠１は、引戸２側に固定される施錠手段４と、戸枠３側に固定されるアーム機構５とから構成されている。
【００１６】
施錠手段４は、図１及び図２に示すように、錠箱ユニット６と、サムターン１１と、支持軸９と、カマ１０と、抜止板１２とで概略構成されている。
【００１７】
錠箱ユニット６は、戸枠と対向する引戸の前端面２ａに埋設されており、錠箱７と、外フレーム８とで構成されている。
【００１８】
錠箱７は、略方形箱状に形成されるとともに図１中左側面に矩形状の開口部７ａが形成されている。また、錠箱７の開口部７ａには、図２に示すように、後述するサムターン１１の支持軸９などの錠箱７内部を隠す遮蔽片７ｃが設けられている。
外フレーム８は、錠箱正面７ｂに設けられ、中央に所定の深さの凹部８ａを有し、開口面８ｂ縁部に沿ってフランジ８ｃが形成されて略矩形の受け皿状に形成され、開口面８ｂを外側にして設けられている。
そして、この外フレーム８の中央凹部底面８ａ、及び錠箱正面７ｂを、引戸２の表裏面を貫通する軸線である水平方向に貫通して、後述の支持軸９が回転可能に設けられている。
【００１９】
なお、この錠箱ユニット６は、図１における錠箱７左側面の開口部７ａが引戸前端面２ａに表出し、フランジ部分８ｃが引戸２の屋内面に表出されて、引戸前端面２ａに埋設されている。
【００２０】
サムターン１１は、略方形ブロック形状に形成されており、裏面端部１１ａに支持軸９が設けられ、この支持軸９とで略Ｌ字状に形成されている。このサムターン１１は、前述の外フレーム中央凹部８ａ内に設けられている。そして、支持軸９が、前述の外フレーム８及び錠箱正面７ｂを貫通して錠箱７内にて支持されて取り付けられ、これによりサムターン１１は外フレーム中央凹部８ａ内にて裏面端部１１ａを支点に回動可能となっている。
なお、サムターン１１の厚さは前述の外フレーム中央凹部８ａの深さより短尺なものとすることが好ましい。
【００２１】
また、錠箱７内には不図示の規制手段が設けてあり、この規制手段によりサムターン１１の回動を所定の角度、例えば１００°の範囲内に規制している。
【００２２】
カマ１０は、支持軸９に、例えば一体成形にて形成され、この支持軸９の中途部分に、支持軸９の軸線方向に直交する方向に延出するフランジ状の円板形状とされているとともに、周縁が板面に対して直交し、係合片１０ａが折曲形成され断面略Ｌ字状に形成されている。
なお、この円板状に形成されるカマ１０の中心軸線と支持軸９の軸心とは偏心しており、支持軸９の軸心に対し、カマ１０の中心軸線が、支持軸９に対するサムターン１１の延出方向とは逆の方向にズレて位置するように設定され構成されている。
【００２３】
抜止板１２は、長尺板状の取付部１２ａと保持部１２ｂとが互いに直交して略Ｌ字状に形成される部材である。
取付部１２ａは、長手方向中途に矩形状の切欠が形成され、この切欠が前記錠箱７の開口部７ａに位置するように、錠箱の側面７ｄに固定される。
また、保持部１２ｂは、進出したカマ１０と対向する（図７ｂ参照）。
【００２４】
次に、アーム機構５について説明する。
図３はアーム機構５の図１における右側面図、図４は図１におけるＡ矢視図、図５は図１におけるＢ矢視断面図である。
【００２５】
アーム機構５は、図１，図３及び図４に示すように、ガイド部材２０と、アーム２６と、付勢手段としての引張コイルバネ２５と、案内支持板３０とで概略構成されている。
【００２６】
ガイド部材２０は、ガイド板２１と固定板２３とから構成されている。
ガイド板２１は、長尺な短冊状に形成される板部材で、長手方向略中央に長穴２２が穿設されており、上端には取付片２１ａが形成され、引張コイルバネ２５の一端が取り付けられている。
固定板２３はガイド板２１の正面に、このガイド板２１と直交するように形成されているとともに、長穴２２を避けるよう略コ字状に形成される板部材で、ガイド板２１長手方向略中央にてガイド板２１の正面側に位置している。
なお、この固定板２３は、図４に示すように、支持板２４と共に戸枠３を挟持して固定されている。
【００２７】
アーム２６は、長尺な短冊状板材で、上端部に案内軸２７が設けられ、下端部に係止部２８が設けられている。
案内軸２７は、アーム２６の板面に対して軸線方向が垂直となり、一方の板面側に設けられる。この案内軸２７は、ガイド板２１の長穴２２に枢着され、この長穴２２に沿って摺動可能となっている。また、この案内軸２７はアーム２６背面にて引張コイルバネ２５の他端と連結されており、すなわち、この引張コイルバネ２５を介してガイド板２１の上端に連結されるようになっている。
係止部２８は、アーム２６の板面に対して軸線方向が垂直となり一方の板面側に設けられる。この係止部２８は、略円柱軸状の部材である。そして、この係止部は、引戸２閉状態時にサムターン１１の操作によって前述のカマ１０と係合するようになっている。
なお、このアーム２６は、幅方向中央に長手方向に渡り、連続して厚み方向に略畦状に凹凸加工が施され、剛性を高めている。
また、図１に示すように、このアーム２６は引張コイルバネ２５により吊設されており、通常は、引張コイルバネ２５の付勢力により長穴２２上端に案内軸２７が牽引されている。
【００２８】
案内支持板３０は、図１及び図５に示すように、板材に曲げ加工を施し得られる部材で、戸枠３に固定される固定部３１と、固定部３１に対して直交する方向に折曲される略Ｕ字状の案内部３２とから構成され、略√字状をなしている。この案内支持板３０は、ガイド部材２０の下方に固定部３１が戸枠３に固定される。なお、案内部３２は戸枠３内に位置する。
【００２９】
次に、上記のように構成される引戸用ガードアーム錠１の動作を図６乃至図８に基づき説明する。
【００３０】
はじめに、通常の状態、すなわち、引戸２を開閉操作する際においては、アーム機構５のアーム２６は、図１に示すように、引張コイルバネ２５により上方に牽引され、案内軸２７が長穴２２の上端に位置し、アーム２６の下方が案内支持板３０に支持され、戸枠３に沿って略垂直な状態となっている。また、引戸２のサムターン１１は、図１の実線で示される位置とされ、この図１及び図７（ａ）に示すように、カマ１０が錠箱７内に後退し、引戸２の前端面２ａより突出していない状態となっている。
【００３１】
まず、この状態において、引戸２を閉鎖し、引戸２の前端面２ａを戸枠３と対向させ接した状態とする。
次に、屋内側となるサムターン１１を、操作者が回動させる。なお本実施の形態では図１中反時計回りに回動させる。
【００３２】
サムターン１１が回動すると、図６（ａ）に示すように、支持軸９を介してカマ１０が回動して錠箱７より進出するとともに、引戸２の前端面２ａより進出する。
さらにサムターン１１を回動させると、図６（ｂ）に示すように、カマ１０の揺動端がアーム２６の係止部２８にかかり、かつ、カマ１０が支持軸９に偏心して設けられていることから、この係止部２８を錠箱７側に引き寄せる。このとき、アーム２６は、戸枠３の端面に対してやや斜めになる。
【００３３】
そして、サムターン１１の回動が、規制される位置まで行われると、カマ１０と係合部２８は互いに係合状態となりロック状態となる。
なお、このロック状態においては、図７（ｂ）に示すように、アーム２６の下端がカマ１０と抜止板１２とに引戸２の表裏方向から挟まれる位置となり、そして、カマ１０の係合片１０ａとで、このアーム２６の下端は係合状態が維持されることとなり、カマ１０の係合片１０ａとアーム２６の係止部２８との係合状態が容易に解除されないようになっている。
【００３４】
このロック状態において、例えば引戸２の外部より来訪者が訪れ、室内側の操作者が来訪者の確認を行う場合には、引戸２の開放操作を行う。
【００３５】
引戸２が開放操作されると、上記したように、アーム２６がカマ１０に係合されているロック状態となっていることから、引戸２の開放移動に伴い、アーム２６が案内軸２７を中心として回動を始めるとともに、アーム２６は引戸２に牽引されて、ガイド部材２０の長穴２２に沿って下方に摺動する。
【００３６】
このとき、アーム２６の上端に連結された引張コイルバネ２５は、その牽引により伸長され、すなわち、アーム２６を上方に吊り上げている引張力に抗してアーム２６の上端の案内軸２７は下方に移動されることとなる。
【００３７】
そして、引戸２の開放が進むと、アーム２６は上端を戸枠３側の長穴２２に支持され、下端を引戸２側のカマ１０に係合されていることから、傾斜した状態になり、図８に示すように、アーム２６の下端の案内軸２７が長穴２２の下端に到達すると、その位置で引戸２の開放は、所定幅にて、すなわちアーム２６の長さで規制される。
なお、このアーム２６による所定幅は、人の手のみが通る程度とされている。
【００３８】
また、引戸２を閉鎖する際には、上記した、ロック状態で、かつ、引戸２が所定幅開放された状態において、引戸２を閉鎖方向に動かすことで、カマ１０と係合状態にあるアーム２６の係止部２８が施錠手段４に押される動作となり、アーム２６下端が戸枠３方向に移動する。そして、アーム２６上端の案内軸２７は長穴２２に沿って上方に摺動するとともに、引張コイルバネ２５の牽引力に案内され、アーム２６は案内軸２７を中心に戸枠３方向に回転、すなわち斜めの状態から垂直な状態へと動作する。
【００３９】
その後、アーム２６の案内軸２８が長穴２２の上端に達すると、図６（ｂ）に示される、引戸２閉鎖状態となり、サムターン１１を上記ロック状態とは逆方向、すなわち図６（ｂ）中時計回り方向に回すことで、カマ１０が錠箱７内に後退し、ロック状態が解除される。
また、開放されたアーム２６下端側は、引張コイルバネ２５の牽引力などによって案内支持板３０に支持されて略垂直な状態である初期の状態に戻ることとなる。
【００４０】
従って、このように構成された引戸用ガードアーム錠１では、アーム２６上端の案内軸２７がガイド部材２０を介して戸枠側３に枢着されていることから、カマ１０とアーム２６下端の係止部２８とが係合状態となるロック状態において、引戸２の開放動作を行っても、アーム２６の長さで設定される幅までの引戸２の開放となり、すなわち引戸２の開放幅を規制することとなる。
【００４１】
また、ガイド部材２０上端とアーム２６上端とに引張コイルバネ２５を張架していることから、ロック状態における引戸２の開放状態から、閉鎖動作を行う場合に、アーム２６上端が引張コイルバネ２５に引き上げられ、アーム２６を円滑に垂直な初期の状態、すなわち戸枠３に収容される状態に復帰させることが出来る。
【００４２】
さらに、カマ１０の側方に抜止板１２を対向するように取り付けたことにより、ロック状態において、カマ１０と係止部２８との係合が容易に解除されるのを防ぐことが可能となる。
また、ロック状態において、引戸２を手で開くだけで、人が通ることのできない開放空間をロック状態を保持したまま設定できることから、防犯上の問題を解決しながらも、換気や採風などの機能を引戸２部分に付加することが可能となる。
【００４３】
なお、上述した本実施の形態では、サムターン１１の厚さを外フレーム８の中央凹部８ａの深さより短尺なものとしたので、使用者及び通行者が引掛かることがなく安全であり、また、アーム２６の長手方向に渡って凹凸加工を形成した構造としたことにより、長尺なアーム２６の剛性が高められ、より防犯性能を高くすることが可能となる。
【００４４】
また、上述した実施の形態では、アーム２６下端の係止部２８を、アーム２６の一方の板面側に設け、この係止部２８に断面略Ｌ字状に形成されるカマ１０が係合し、このカマ１０と抜止板１２とで、アーム２６を挟むように保持する構造とされる施錠手段の例について述べたが、この施錠手段はこれに限定されることはない。
例えば、アーム２６下端の係止部２８を、アームの下端における両面に突出する構成とし、これら両係止部に係合する一対のフック状で、略フォーク状に形成されるカマを備える構成としてもよい。すなわち、サムターン１１に連動連結される一対のカマが、サムターン１１の回動操作にて進退し、このサムターン１１の操作にて進出する一対のカマが、両係止部に係合し、かつ一対のカマ間にある間隙部分にアーム２６が挟持状態となる構造としてもよい。
これによれば、一対のカマが係止部に係合してロック状態となり、かつ両カマ間に位置するアーム２６により引戸の表裏方向へのロック状態の解除を防止できる。
【００４５】
さらに、上述した実施の形態では、係止部２８とカマとの係合について、係止部２８に対しカマが回動して単に互いに係合状態となる例について述べたが、図９（ａ）に示すように、カマ５０に、上述した実施の形態と同様に係合片５０ａを設けるとともに、この係合片５０ａの先端部分に、軸心方向（支持軸９の方向）に突出する突片５０ｂを設け、図９（ｂ）に示すように、カマ５０を係止部２８に係合させる際、及び係止部２８からカマ５０を離脱させ係合を解除させる際に、係止部２８に対して前記突片５０ｂが衝合するとともに、この突片５０ｂを乗り越えるような構造とし、カマ５０と係止部２８との係合及び解除の操作の際にやや抵抗を持たせた構成としてもよい。
この突片５０ｂを備える構成とすれば、上記したカマ５０を係止部２８に係合させる際や、その係合状態を解除する際に、サムターン１１を回動操作する操作者に操作感を与えることが可能となり、また、この突片５０ｂが係止部２８とカマ５０との係合における抜け止めとして機能を持つことから、係合状態が容易に解かれることがなくなる。
【００４６】
なお、上述した実施の形態では引戸の構造について、特に説明をしていないが、ここでいう引戸とは、サッシや一枚板状のものなど特に限定されるものではなく、例えばサッシの場合は、サッシ枠に施錠手段４を設けることとなる。
【００４７】
【発明の効果】
以上説明したように本発明による請求項１の引戸用ガードアーム錠では、アーム一端の案内軸が戸枠側に枢着されているため、カマとアーム他端の係止部との係合状態において、引戸の開放動作を行うと、アームが架け渡される幅以上の引戸の開放を規制させることが可能となる。
【００４８】
また、この構成によれば、カマとアーム他端の係止部との係合状態において、引戸を開放させる事で、人が通ることのできない所定幅の限られた開放空間を、係合状態を保持したまま設定できることから、防犯上の問題を解決しながらも、来訪者の確認などが可能になる。
さらに、換気や採風などの機能を引戸２部分に付加することが可能となる。
【００４９】
また、アーム一端に付勢手段である引張コイルバネを具備することにより、アームとカマとが係合していない状態においては、アームが引張コイルバネにより上方に常に牽引されて戸枠側に収容されるように付勢され、このアームが突出などを起こして邪魔になることがない。
さらに、カマの周縁を形成する中心軸線と支持軸の軸心とが偏心し、この支持軸の軸心に対し、カマの中心軸線が、支持軸に対するサムターンの延出方向とは逆の方向にズレて位置して構成されていることから、引戸が閉鎖している状態において、サムターンの操作にて回動するカマの係合片が、錠箱より進出し、戸枠に収容状態のアームの他端の係止部にかかり、このカマの回動によって係止部を戸枠から錠箱側に引き寄せることとなり、カマの係合片によりアームの他端の係止部と係合状態となる。
【００５０】
さらに、請求項２の引戸用ガードアーム錠では、カマと対向して抜止板を具備したので、抜止板は引戸側から進出したカマに向き合うように位置することから、確実にカマと抜止板とでアームの係止部を表裏方向から挟むように保持し係合状態を維持することができ、この抜止板とカマの係合片とで容易に解除されないという効果が得られる。
【図面の簡単な説明】
【図１】本発明による引戸用ガードアーム錠の正面図
【図２】同引戸用ガードアーム錠における施錠手段の左側面図
【図３】同引戸用ガードアーム錠におけるアーム機構の右側面図
【図４】図１におけるＡ矢視図
【図５】図１におけるＢ矢視図
【図６】（ａ）施錠手段とアーム機構との係合動作を示す正面図
（ｂ）施錠手段とアーム機構との係合動作を示す正面図
【図７】（ａ）図１におけるＣ矢視図
（ｂ）図６（ｂ）におけるＤ矢視図
【図８】ロック状態において引戸を開放した状態を示す正面図
【図９】（ａ）他の実施の形態による係合動作を示す拡大正面図
（ｂ）他の実施の形態による係合動作を示す拡大正面図
【符号の説明】
１…引戸用ガードアーム
２…引戸
３…戸枠
４…施錠手段
５…アーム機構
７…錠箱
７ｄ…錠箱前端面（錠箱側面）
１０…カマ
１１…サムターン
１２…抜止板
２２…長穴
２５…付勢手段（引張コイルバネ）
２６…アーム
２７…案内軸
２８…係止部
【図１】
0004279419.tif 000002
【図２】
0004279419.tif 000003
【図３】
0004279419.tif 000004
【図４】
0004279419.tif 000005
【図５】
0004279419.tif 000006
【図６】
0004279419.tif 000007
【図７】
0004279419.tif 000008
【図８】
0004279419.tif 000009
【図９】
0004279419.tif 000010